(57)【要約】  【課題】  屋内外で使用可能であり、作動不良や機能障害が生じ難く、たとえ、鍵孔に挿入した鍵が破断した場合にも、鍵孔から鍵を抜き取ることが可能なディスクシリンダー錠ユニットを提供する。  【解決手段】  ハウジング１１と、ローター１２と、複数のディスクタンブラ１３,１４,１５と、円弧状の板バネ１６と、サイドバー１７と、ハウジング内から突出するロックプレート１８と、ハウジングの前後端の開口を塞ぐフロントプレート１９及びリアプレート２０とを備え、フロントプレートの鍵挿入孔１９aからリアプレートの孔２０aまでが、ほぼ直線状の孔で連通するように形成され、所定粒径以下の異物を通過させ得るものである。ディスクシリンダー錠ユニット１０を開閉操作するための鍵３０は、突出軸部３２と操作把持部３４との境界部３５が、鍵孔挿入部３１と突出軸部３２との境界部３３よりも先に破断するように形成される。【選択図】  図５
2007278016.tif 000002
【特許請求の範囲】
【請求項１】
内面の軸方向に溝が形成され、前端と後端に開口を有するハウジングと、回転軸線を中心に相対的に回動するようにハウジング内に収容され、軸方向に切欠き部及びスリットが形成されたローターと、ほぼ中央に鍵挿入孔が形成され、外周のそれぞれ所定位置に切欠部及び凸部が形成され、回転軸線を中心にそれぞれ相対的に回動するように前記ローター内に収容された複数のディスクタンブラと、鍵により操作したとき以外に前記複数のディスクタンブラが回動するのを防止するため前記複数のディスクタンブラに押圧力を作用させるように前記ローター内に収容された円弧状の板バネと、前記ハウジングの溝と前記ローターのスリットが対向位置に在るときに当該溝と当該スリットにより規定される空隙部に収容されることにより、前記ローターが前記ハウジング内で相対的に回動することを妨げるサイドバーと、前記ローターが前記ハウジング内で相対的に回動し、ローターの所定箇所が当接することにより押圧されて前記ハウジング内から出入するように設けられたロックプレートと、ほぼ中央に鍵挿入孔が形成されて前記ハウジングの前端開口を塞ぐフロントプレートと、ほぼ中央に孔が形成されて前記ハウジングの後端開口を塞ぐリアプレートとを備え、
前記フロントプレートの鍵挿入孔から前記リアプレートの孔までが、ほぼ直線状の孔で連通するように形成され、当該連通孔が所定粒径以下の小石、砂及び泥を通過させ得るように形成されたものであるディスクシリンダー錠ユニット。
【請求項２】
請求項１に記載のディスクシリンダー錠ユニットを開閉操作するための鍵であって、鍵孔内に挿入される鍵孔挿入部と、当該鍵孔挿入部に連設されて前記鍵孔から常に外側に配置される突出軸部と、手指や工具により把持して操作するため前記突出軸部に連設された操作把持部とを備え、前記操作把持部から所定以上の回転力が作用したときに、前記突出軸部と前記操作把持部との境界部が、前記鍵孔挿入部と前記突出軸部との境界部よりも先に破断するように形成されたものである鍵。
【発明の詳細な説明】
【技術分野】
【０００１】
本発明は屋外と屋内の両方にて使用可能なディスクシリンダー錠ユニット、及びこれを開閉操作するための鍵に関し、例えば、共同溝等のマンホールの蓋にも使用可能なディスクシリンダー錠ユニット及び鍵に関する。
【背景技術】
【０００２】
従来の通信ケーブル、送電ケーブル、上下水道管等を収納する共同溝等の出入口の蓋に使用される施錠装置は、錠前ユニットの鍵孔が路上に露出しているため、泥、砂及び砂利等の異物が目詰まりして回転しなくなる虞がある。そのため、当該用途の施錠装置では、多くの場合に、錠前ユニットの鍵孔にキャップが嵌められている。しかしながら、共同溝内で作業を行おうとするときには、錠前ユニットを開閉操作するために、キャップは外されるものであり、埃や砂等は鍵孔に侵入しやすく、これを完全に防止することは困難である。当該用途の施錠装置における錠前ユニットとして、例えば、ピンシリンダー錠が用いられた場合には、泥水や砂が浸入することにより、作動不良や機能障害が生じやすいという欠点がある。すなわち、ピンシリンダー錠はコイルバネやピンを内部に有するものであるため、路面のような悪条件下では故障が生じ易い。
なお、ピンシリンダー錠の例としては、特許文献１に記載されたものがある。
【０００３】
またマンホール出入口の蓋の錠前ユニットが作動不良を起している場合には、鍵孔に挿入した鍵の把持部をペンチやプライヤーといった工具で回転操作することがある。一般的に、共同溝内の作業では、機器や工具を比較的強い力で操作することが多く、鍵を工具で回転操作したときには、鍵孔挿入部が把持部との境界部分で破断してしまうことがある。その場合には、鍵孔から鍵を抜き取ることが困難になり、錠前ユニットの開閉操作も不能になってしまう。
【特許文献１】特開２００２−１４７０７２
【発明の開示】
【発明が解決しようとする課題】
【０００４】
したがって、本発明の目的は、泥水や砂が鍵孔に浸入する可能性が高い屋外において使用可能であり、且つ、屋内においても使用可能であり、作動不良や機能障害が生じ難いディスクシリンダー錠ユニットを提供することである。
【０００５】
本発明の別の目的は、鍵孔に挿入した鍵が破断した場合にも、鍵孔から鍵を抜き取ることが可能なディスクシリンダー錠ユニットを提供することである。
【課題を解決するための手段】
【０００６】
以下、課題を解決するための手段について、添付図面中の参照番号を付して説明する。
本発明では、内面の軸方向に溝１１ｆが形成され、前端と後端に開口１１ｂ，１１ｃを有するハウジング１１と、回転軸線を中心に相対的に回動するようにハウジング１１内に収容され、軸方向に切欠き部１２ｃ及びスリット１２ｂが形成されたローター１２と、ほぼ中央に鍵挿入孔１３ａ，１４ａ，１５ａが形成され、外周のそれぞれ所定位置に切欠部１３ｂ，１４ｂ，１５ｂ及び凸部１３ｃ，１４ｃ，１５ｃが形成され、回転軸線を中心にそれぞれ相対的に回動するように前記ローター１２内に収容された複数のディスクタンブラ１３，１４，１５と、鍵３０により操作したとき以外に前記複数のディスクタンブラ１３，１４，１５が回動するのを防止するため前記複数のディスクタンブラ１３，１４，１５に押圧力を作用させるように前記ローター１２内に収容された円弧状の板バネ１６と、前記ハウジング１１の溝１１ｆと前記ローター１２のスリット１２ｂが対向位置に在るときに当該溝１１ｆと当該スリット１２ｂにより規定される空隙部に収容されることにより、前記ローター１２が前記ハウジング１１内で相対的に回動することを妨げるサイドバー１７と、前記ローター１２が前記ハウジング１１内で相対的に回動し、ローター１２の所定箇所が当接することにより押圧されて前記ハウジング１１内から出入するように設けられたロックプレート１８と、ほぼ中央に鍵挿入孔１９ａが形成されて前記ハウジング１１の前端開口１１ｂを塞ぐフロントプレート１９と、ほぼ中央に孔２０ａが形成されて前記ハウジング１１の後端開口１１ｃを塞ぐリアプレート２０とを備え、前記フロントプレート１９の鍵挿入孔１９ａから前記リアプレート２０の孔２０ａまでが、ほぼ直線状の孔で連通するように形成され、当該連通孔が所定粒径以下の小石、砂及び泥を通過させ得るように形成されたものであるディスクシリンダー錠ユニット１０が提供される。
【０００７】
本発明では、ディスクシリンダー錠ユニット１０を開閉操作するための鍵３０として、鍵孔内に挿入される鍵孔挿入部３１と、当該鍵孔挿入部３１に連設されて前記鍵孔から常に外側に配置される突出軸部３２と、手指や工具により把持して操作するため前記突出軸部に連設された操作把持部３４とを備え、前記操作把持部３４から所定以上の回転力が作用したときに、前記突出軸部３２と前記操作把持部３４との境界部３５が、前記鍵孔挿入部３１と前記突出軸部３２との境界部３３よりも先に破断するように形成されたものが提供される。
【発明の効果】
【０００８】
本発明のディスクシリンダー錠ユニットでは、ピンシリンダー錠のようなコイルバネやピンを部品として使用せず、円弧状板バネの押圧力により複数のディスクタンブラを保持するものであり、しかも、各構成部品が組み立てられたときに、フロントプレートの鍵挿入孔からリアプレートの孔までがほぼ直線状の孔で連通するように形成され、この連通する孔の内部空間が最小幅４ｍｍ程度に形成されるものであるため、或る程度までの粒径の小石、砂及び泥は鍵孔に詰まる事無く、連通孔を通過させることが可能であり、ディスクシリンダー錠ユニットを作動不良や機能障害が生じ難いものにすることができる。また、たとえ鍵孔に小石及び砂等の異物が詰まったとしても、連通孔の内部空間の最小幅が４ｍｍ程度以上であれば、ピンセット等の比較的小さな工具を挿入して異物を取り除くことが可能になる。
【０００９】
また本発明のディスクシリンダー錠ユニットを開閉操作するための鍵は、操作把持部に所定以上の回転力が作用したとき、突出軸部と操作把持部との境界部が、鍵孔挿入部と突出軸部との境界部よりも先に破断するように形成されたものであるため、この突出軸部を把持して回転させながら、鍵孔から鍵を抜き取ることが可能であり、スペアキーを使って錠前ユニットの開閉操作も従前通り行うことができる。
【発明を実施するための最良の形態】
【００１０】
以下、図面を参照して本発明について説明するが、本発明はこれに限定されるものではない。
【００１１】
本発明にかかるディスクシリンダー錠ユニット１０は、例えば、図１に示したようなマンホール蓋用施錠装置４０に適用可能なものであり、図２の断面図に示したように組み込まれる。さらに説明すれば、ディスクシリンダー錠ユニット１０はマンホール蓋用施錠装置４０の本体部４１内に挿着され、鍵により施錠されることにより、マンホール蓋用施錠装置４０から抜き取ることができなくなり、出力軸４２を介したロック部材４３の操作が不可能となり、マンホール蓋４４の取り外しを不可能にするものである。逆に、マンホール蓋４４を取り外すときには、ディスクシリンダー錠ユニット１０を鍵により開錠し、マンホール蓋用施錠装置４０から抜き取ることにより、出力軸４２を介してロック部材４３を操作し、ロック部材４３がマンホールの固定受枠４５側の受部４６から外される。
【００１２】
図３は本発明に係るディスクシリンダー錠ユニット１０及び鍵３０の斜視図であり、図４（ａ）〜（ｃ）はそれぞれディスクシリンダー錠ユニット１０の前端面図、側面図及び後端面図である。ディスクシリンダー錠ユニット１０は、図５の斜視図に示したように、ハウジング１１と、ローター１２と、複数のディスクタンブラ１３，１４，１５と、板バネ１６と、サイドバー１７と、ロックプレート１８と、フロントプレート１９と、リアプレート２０とを主要な構成として備え、これら各構成が複数のリテーナー２１と共に組み立てられたものである。ディスクシリンダー錠ユニット１０は、施錠されているときに、ロックプレート１８の先端１８ａがハウジング１１の外周面よりも突出し、逆に、開錠されているときに、ロックプレート１８の先端１８ａがハウジング１２の少なくとも外周面と同じ位置まで引き込まれるものである。
【００１３】
次に、ディスクシリンダー錠ユニット１０の各構成について更に説明する。
ハウジング１１は、図５に示したように、筒状部１１ａの前端及び後端に開口１１ｂ,１１ｃを有し、前端内周側には環状部１１ｄが設けられ、後端には一対の切欠部１１ｅが対向配置で形成されている。また筒状部１１ａの内面の軸方向には、図６（ａ）に示したような溝１１ｆが形成されている。なお、図６（ａ）は各部材の角度関係を示すため、ハウジング１１とローター１２とが異なる位置で切断された断面図である。
【００１４】
次に、ローター１２は、筒状部１２ａの所定位置に軸方向に延びるスリット１２ｂを有し、このスリット１２ｂに対向する位置に軸方向に延びる切欠き部１２ｃを有している。切欠き部１２ｃは筒状部１２ａの円周の１／４程度が切り欠かれたものであるため、筒状部１２ａは筒状体というよりも、実質的には円弧状断面を有する２つの部材から構成されるものである。筒状部１２ａの後端には、図６（ｂ）に示したように、ほぼ中央に貫通孔１２ｄを有する底板１２ｅが設けられ、この底板１２ｅの裏側には円弧状凸部１２ｆが突設される。
以上のローター１２は、ハウジング１１に対して相対的に回動可能なようにハウジング１１内に挿着されるものであるが、ローター１２のスリット１２ｂとハウジング１１の溝１１ｆとが対向配置に在り、スリット１２ｂと溝１１ｆとにより規定される空隙部にサイドバー１７が収容されているときには、ローター１２がハウジング１１内で相対的に回動することが妨げられる。ローター１２が、ハウジング１１内で相対的に回動するときには、サイドバー１７はハウジング１１の溝１１ｆから外れているが、これについては後述する。
【００１５】
ロックプレート１８は、図６（ｂ）に示したように、ハウジング１１に設けられた一対の切欠部１１ｅに嵌合するように先端１８ａと後端１８ｂとが形成され、ローター１２の円弧状凸部１２ｆが当接する受部１８ｃ，１８ｄが先端１８ａと後端１８ｂのそれぞれ内側に形成され、先端１８ａと後端１８ｂの中間部１８ｅは鍵孔の軸線を迂回するように曲がった形状になっている。ロックプレート１８は、ローター１２がハウジング１１に対して相対的に回動し、ローター１２の円弧状凸部１２ｆがロックプレート１８の受部１８ｃに当接すると、矢印Ａ方向に押されて先端１８ａがハウジング１１の外周面よりも突出し、逆に、ローター１２の円弧状凸部１２ｆがロックプレート１８の受部１８ｄに当接すると、矢印Ｂ方向に押されてロックプレート１８の先端１８ａがハウジング１２の少なくとも外周面と同じ位置まで引き込まれる。
【００１６】
円弧状の板バネ１６は嵌合凸部１６ａを有し、この嵌合凸部１６ａがローター１２のスリット１２ｂに嵌合され、底板１２ｅ上に載るようにローター１２の筒状部１２ａの内部に収容される。この板バネ１６に加えて、ローター１２の筒状部１２ａには、ディスクタンブラ１３，１４，１５及びリテーナー２１が図５のような順番で収容される。
【００１７】
リテーナー２１は、ディスクタンブラ１３，１４，１５を１枚ずつ仕切るためにローター１２内に固定されるものであり、図７の正面図に示したように、中央に孔２１ｄが形成された環状の部材である。リテーナー２１は、ローター１２の切欠き部１２ｃに嵌合される嵌合固定部２１ａが外周に設けられ、ローター１２のスリット１２ｂに対向配置される凹部２１ｂが外周に設けられ、リテーナー２１の内周には２箇所に凸部２１ｃが突設される。この凸部２１ｃは、図７に示したように、リテーナー２１に対する鍵３０の相対的な回動可能角度Ｒを規定するものである。
【００１８】
ディスクタンブラ１３，１４，１５は、ほぼ中央に鍵孔１３ａ，１４ａ，１５ａが穿設され、外周の同じ位置に凸部１３ｂ，１４ｂ，１５ｂが設けられ、外周のそれぞれ異なる位置に凹部１３ｃ，１４ｃ，１５ｃが設けられている。ディスクタンブラ１３，１４，１５は、図６（ａ）に示したようにローター１２内に収容され、凸部１３ｂ，１４ｂ，１５ｂがローター１２の切欠き部１２ｃに配置され、鍵孔１３ａ，１４ａ，１５ａに挿入された鍵３０から回動方向に力を受け、ローター１２に対して相対的に回動するものである。ディスクタンブラ１３，１４，１５の回動範囲は、凸部１３ｂ，１４ｂ，１５ｂの動きがローター１２の切欠き部１２ｃにより規制されるものであるため、切欠き部１２ｃの角度（図６（ａ）ではほぼ９０°）を最大とするものである。
なお、本実施形態においては、三種類のディスクタンブラ１３，１４，１５を例示したが、このディスクタンブラは三種類に限定されるものではなく、何種類のディスクタンブラを使用するかは、適宜、定めることが可能なものである。また多種類のディスクタンブラを並べる順序も、適宜、定め得るものである。
【００１９】
フロントプレート１９は、鍵３０を挿入するための孔１９ａがほぼ中央に穿設された円形の板材であり、ハウジング１１内に収容されて環状部１１ｄに当接するように配置され、鍵３０と共に回動するものである。またリアプレート２０は、中央に貫通孔２０ａが穿設され、ハウジング１１の切欠部１１ｅに嵌合させるための嵌合凸部２０ｂが上下に形成されたものである。リアプレート２０は、図６（ｃ）に示したように、ハウジング１１の切欠部１１ｅに嵌合され、斜線部分２２を溶接することによりハウジング１１に固定される。
【００２０】
以上の各構成から組み立てられたディスクシリンダー錠ユニット１０には、フロントプレート１９の鍵挿入孔１９ａからリアプレート２０の孔２０ａまで、ほぼ直線状の孔が連通するように形成されている。
すなわち、フロントプレート１９の鍵挿入孔１９ａ、リテーナー２１の孔２１ｄ、ディスクタンブラ１３，１４，１５の鍵孔１３ａ，１４ａ，１５ａ、ローター１２の底板１２ｅの貫通孔１２ｄ、リアプレート２０の貫通孔２０ａ等のように、これらの部品には全てほぼ中央に孔が設けられ、また板バネ１６は孔に相当する円弧中央部を有し、さらに、ロックプレート１８には鍵孔軸線を迂回するように曲げられた中間部１８ｅが設けられている。これら孔や円弧中央部が鍵孔の軸線上に並ぶように配置され、ロックプレート１８の中間部１８ｅは軸線を迂回するものであるため、ディスクシリンダー錠ユニット１０には、ほぼ直線状の連通孔が全長にわたり形成される。この連通孔は、図４（ｃ）に示した幅Ｗ部分が最小幅となるものであり、ディスクシリンダー錠ユニット１０をマンホール蓋に適用する場合、幅Ｗが少なくとも４ｍｍ以上になるように形成することが好ましい。これにより、幅Ｗ以下の粒径の小石、砂及び泥は鍵孔に詰まる事無く、連通孔を通過するので、ディスクシリンダー錠ユニット１０の作動不良や機能障害は防止される。また、たとえ鍵孔に小石及び砂等の異物が詰まった場合にも、最小幅Ｗが４ｍｍ以上であれば、ピンセットやマイナスドライバー等の小工具を挿入して異物を取り出したり、掻き出したりすることが可能である。
【００２１】
次に、鍵３０について説明する。鍵３０は、ディスクシリンダー錠ユニット１０を開閉操作するためのものであり、鍵孔挿入部３１と突出軸部３２との間に第一の境界部３３が形成され、突出軸部３２と操作把持部３４との間に第二の境界部３５が形成されている。
鍵孔挿入部３１は鍵孔内に挿入される部位であって、溝が設けられていない無溝部３１ａと、溝３１ｂ，３１ｃとを有する。鍵３０を鍵孔内に挿入したとき、無溝部３１ａはディスクタンブラ１３の鍵孔１３ａに係合し、溝３１ｂはディスクタンブラ１４の鍵孔１４ａに係合し、溝３１ｃはディスクタンブラ１５の鍵孔１５ａに係合する。この係合状態で鍵３０を回転させると、無溝部３１ａ及び溝３１ｂ，３１ｃは、それぞれ異なる回転角度でディスクタンブラ１３，１４，１５を回転させる。
なお、本実施形態において、鍵孔挿入部３１は、無溝部３１ａも含めて三種類の溝３１ａ，３１ｂ，３１ｃが形成されたものを例示したが、この溝の形状は三種類に限定されるものではなく、これらの溝３１ａ，３１ｂ，３１ｃの配列も図3のものに限定されるものではなく、何種類の溝を設けるか、どのような順序で並べるかは、適宜、定め得るものである。つまり、上述のディスクタンブラの種類数と配列に応じて、適宜、定められるものである。
突出軸部３２は、鍵３０が鍵孔内に挿入されたときにも、常に鍵孔の外側に表出しているように鍵孔挿入部３１に連設された部位であり、また操作把持部３４は手指や工具により把持して操作するため突出軸部３２に連設された部位である。
第一の境界部３３及び第二の境界部３５は、鍵孔挿入部３１や突出軸部３２よりも断面が小さくなるように形成された部位であり、さらに、第二の境界部３５の断面は、第一の境界部３３の断面よりも小さくなるように形成されている。これにより、操作把持部３４から所定以上の回転力が作用したときには、第二の境界部３５が第一の境界部３３よりも先に破断し、この破断した突出軸部３２を把持して回転操作すれば、破断した鍵を鍵孔から抜き取ることが可能になる。
【００２２】
次に、ディスクシリンダー錠ユニット１０の作用について更に説明する。
図８は、ディスクシリンダー錠ユニット１０の内部構造を説明するために、Ａ〜Ｅまで横方向に５行、第１〜第４まで縦方向に４列、断面図を並べたものである。
Ａ行にはそれぞれ鍵３０の無溝部３１ａ、溝３１ｂ及び溝３１ｃの断面図、Ｂ行には鍵孔に挿入した鍵３０を回転する前の断面図、Ｃ行には鍵３０を時計回り方向に９０°回転させたときの断面図、Ｄ行には鍵３０を時計回り方向に１３５°回転させたときの断面図、Ｅ行にはＢ行におけるディスクタンブラ１３，１４，１５の断面図を示した。
また縦方向の第１列にはディスクタンブラ１５に係わる各部品の断面図、第２列にはディスクタンブラ１４に係わる各部品の断面図、第３列にはディスクタンブラ１３に係わる各部品の断面図、第４列にはローター１２の円弧状凸部１２ｆに係わる各部品の断面図を示した。
ディスクシリンダー錠ユニット１０では、施錠状態のときに、ディスクタンブラ１３，１４，１５とローター１２との相対的な角度関係、およびローター１２の後端の円弧状凸部１２ｆとロックプレート１８との係合状態が、Ｂ行に示したようになっている。すなわち、このとき、サイドバー１７はハウジング１１の溝１１ｆとローター１２のスリット１２ｂとにより規定される間隙に収容されているため、ローター１２は、ハウジング１１に対して相対的に回動することができない。またローター１２の後端の円弧状凸部１２ｆはロックプレート１８の受部１８ｃに当接し、ロックプレート１８を矢印Ａ方向に押し上げてハウジング１１から突出させている。
この施錠状態のディスクシリンダー錠ユニット１０に鍵３０を挿入し、これを時計回り方向に９０°回転させると、ディスクタンブラ１３，１４，１５は、鍵３０の無溝部３１ａ、溝３１ｂ及び溝３１ｃが当接して押されることにより、所定角度だけ時計回り方向に回転し、Ｃ行に示した角度になる。このとき、サイドバー１７は、ローター１２のスリット１２ｂから押圧力を受け、ローター１２のスリット１２ｂと、ディスクタンブラ１３，１４，１５の凹部１３ｂ，１４ｂ，１５ｂと、リテーナー２１の凹部２１ｂとにより規定される間隙に移動する。
この移動により、サイドバー１７はハウジング１１の溝１１ｆから外れるため、ローター１２とハウジング１１との相対的な回動が可能になる。したがって、鍵３０を９０°よりも更に時計回り方向に回転させると、ディスクタンブラ１３の凸部１３ｃがローター１２の切欠き部１２ｃを押しながら、ローター１２を時計回り方向に、Ｄ行に示した位置まで回動させる。これにより、ローター１２の後端の円弧状凸部１２ｆはロックプレート１８の受部１８ｄに当接し、ロックプレート１８を矢印Ｂ方向に押すので、先端１８ａはハウジング１１の外周面の位置まで引き込められる。この状態がディスクシリンダー錠ユニット１０の開錠状態である。
【図面の簡単な説明】
【００２３】
【図１】本発明に係るディスクシリンダー錠ユニットが適用可能なマンホール蓋用施錠装置の側面図である。
【図２】図１におけるＡ−Ａ線に沿ったマンホール蓋用施錠装置の断面図である。
【図３】本発明に係るディスクシリンダー錠ユニット及び鍵の斜視図である。
【図４】（ａ）〜（ｃ）はそれぞれディスクシリンダー錠ユニットの前端面図、側面図及び後端面図である。
【図５】ディスクシリンダー錠ユニットを構成する各部品の斜視図である。
【図６】（ａ）は各部材の角度関係を示すため、ハウジングとローターとを異なる位置で切断した断面図であり、（ｂ）はローターの後端位置で切断した断面図であり、（ｃ）はディスクタンブラの断面図である。
【図７】リテーナーの正面図である。
【図８】ディスクシリンダー錠ユニットの内部構造を説明するために、Ａ〜Ｅまで横方向に５行、第１〜第４まで縦方向に４列、断面図を並べたものである。
【符号の説明】
【００２４】
１０  ディスクシリンダー錠ユニット
１１  ハウジング
１１ｂ  前端開口
１１ｃ  後端開口
１１ｆ  溝
１２  ローター
１２ｂ  スリット
１２ｃ  切欠き部
１３，１４，１５  ディスクタンブラ
１３ａ，１４ａ，１５ａ  鍵挿入孔
１３ｂ，１４ｂ，１５ｂ  切欠部
１３ｃ，１４ｃ，１５ｃ  凸部
１６  円弧状の板バネ
１７  サイドバー
１８  ロックプレート
１９  フロントプレート
１９ａ  鍵挿入孔
２０  リアプレート
２０ａ  孔
３０  鍵
３１  鍵孔挿入部
３２  突出軸部
３３  第一の境界部
３４  操作把持部
３５  第二の境界部
【図１】
2007278016.tif 000003
【図２】
2007278016.tif 000004
【図３】
2007278016.tif 000005
【図４】
2007278016.tif 000006
【図５】
2007278016.tif 000007
【図６】
2007278016.tif 000008
【図７】
2007278016.tif 000009
【図８】
2007278016.tif 000010